(57)【要約】【課題】コンクリート構造部の剛性を補強する。【解決手段】梁（Ｂ）と梁（Ｂ）との間に架け渡されコンクリート構造部（６）に係止されて合成構造体（１００）を構成するデッキプレート（１）であって、平坦部（１１）と、平坦部（１１）から突出して平坦部（１１）の長手方向（Ｌ）に沿って複数設けられたリブ（１３）と、２つのリブ（１３）の間に設けられて長手方向（Ｌ）に沿ってリブ（１３）とは反対側に突出した係止部（１５）と、を備える。【選択図】図１
2018141315.tif 000002
【特許請求の範囲】
【請求項１】
梁と梁との間に架け渡されてコンクリート構造部に係止されて合成構造体を構成するデッキプレートであって、
平坦部と、
前記平坦部から突出して当該平坦部の長手方向に沿って複数設けられたリブと、
２つの前記リブの間に設けられて前記長手方向に沿って前記リブとは反対側に突出した係止部と、
を備えることを特徴とするデッキプレート。
【請求項２】
前記係止部は、少なくとも複数設けられていることを特徴とする請求項１に記載のデッキプレート。
【請求項３】
前記係止部の先端部は、折り曲げられていることを特徴とする請求項１又は２に記載のデッキプレート。
【請求項４】
前記平坦部から突出した前記係止部の部位に孔が形成されていることを特徴とする請求項１から３までのいずれか一項に記載のデッキプレート。
【請求項５】
前記平坦部、前記リブ及び前記係止部は、一体に形成されていることを特徴とする請求項１から４までのいずれか一項に記載のデッキプレート。
【請求項６】
梁と梁との間に架け渡されるデッキプレートと、
前記デッキプレートが係止されたコンクリート構造部と、
を備える合成構造体であって、
前記デッキプレートは、平坦部と、該平坦部から前記コンクリート構造部とは反対側に突出して前記デッキプレートの長手方向に沿って複数設けられたリブと、２つの前記リブの間に設けられて前記長手方向に沿って前記コンクリート構造部側に突出して当該コンクリート構造部に係止される係止部とを備える
ことを特徴とする合成構造体。
【請求項７】
前記コンクリート構造部と前記デッキプレートとの間に断熱層を備えることを特徴とする請求項６に記載の合成構造体。
【発明の詳細な説明】
【技術分野】
【０００１】
本発明は、コンクリート構造部に係止されて合成構造体を構成するデッキプレートに関する。
【背景技術】
【０００２】
従来、コンクリートを用いて構成される建築物におけるコンクリート構造部の捨て枠として使用するデッキプレートが知られている。デッキプレートは、その上面を平坦に形成され、上面とは反対の背面（下部）に断面略三角形の中空リブを備える。
デッキプレートは、梁上に両端部を載せて支持されており、梁に支持された状態においてデッキプレートの上面にコンクリートが打設される（例えば、特許文献１参照。）。
【先行技術文献】
【特許文献】
【０００３】
【特許文献１】実開昭６０−１８０９号公報
【発明の概要】
【発明が解決しようとする課題】
【０００４】
しかしながら、特許文献１に記載されたデッキプレートは、例えば、コンクリートの硬化後であってもコンクリート構造部に係止されていない。デッキプレート及びコンクリート構造部は、互いに相対的に移動するおそれがあり、デッキプレートは、建築物の一部としてみなすことができなかった。
そのため、設置済みのデッキプレートは、コンクリート構造部の捨て型枠材として使用されるだけで、例えば、地震等により建築物を水平方向に揺らす力や、鉛直方向の荷重等を想定した場合であっても建築物の一部として強度に考慮されず、デッキプレートの有効利用が望まれていた。
【０００５】
そこで、本発明は、上記課題に鑑みてなされたものであり、コンクリート構造部に係止されて、コンクリート構造部の剛性を補強するデッキプレートを提供することを目的とする。
【課題を解決するための手段】
【０００６】
上記課題を解決するために、本発明は、梁と梁との間に架け渡されコンクリート構造部に係止されて合成構造体を構成するデッキプレートであって、平坦部と、前記平坦部から突出して当該平坦部の長手方向に沿って複数設けられたリブと、２つの前記リブの間に設けられて前記長手方向に沿って前記リブとは反対側に突出した係止部と、を備えることを特徴とする。
【０００７】
また、前記係止部は、少なくとも複数設けられていることが好ましい。
【０００８】
また、前記係止部の先端部は、折り曲げられていることが好ましい。
【０００９】
また、前記平坦部から突出した前記係止部の部位に孔が形成されていることが好ましい。
【００１０】
また、前記平坦部、前記リブ及び前記係止部は、一体に形成されていることが好ましい。
【００１１】
上記課題を解決するために、さらに本発明は、梁と梁との間に架け渡されるデッキプレートと、前記デッキプレートが係止されたコンクリート構造部と、を備える合成構造体であって、前記デッキプレートは、平坦部と、該平坦部から前記コンクリート構造部とは反対側に突出して前記デッキプレートの長手方向に沿って複数設けられたリブと、２つの前記リブの間に設けられて前記長手方向に沿って前記コンクリート構造部側に突出して当該コンクリート構造部に係止される係止部と、を備えることを特徴とする。
【００１２】
また、前記コンクリート構造部と前記デッキプレートとの間に断熱層を備えることが好ましい。
【発明の効果】
【００１３】
本発明に係るデッキプレートにより、コンクリート構造部に係止されて、コンクリート構造部の剛性を補強することができる。
【図面の簡単な説明】
【００１４】
【図１】建築物における第１の実施の形態に係る合成構造体の構成を説明するための図である。
【図２】合成構造体をデッキプレートの長手方向に沿って断面にして示す図である。
【図３】デッキプレートの構成を説明するための図である。
【図４】合成構造体をデッキプレートの幅方向に沿って断面にして示す図である。
【図５】デッキプレートを梁枠体に載置した状態を示す斜視図である。
【図６】第２の実施の形態に係る合成構造体の構成を説明するための示す図である。
【図７】第２の実施の形態に係る合成構造体のデッキプレートの構成を説明するための図である。
【図８】従来のデッキプレート及び従来のデッキプレートを用いた合成構造体の構成を説明するための図である。
【発明を実施するための形態】
【００１５】
本発明の好ましい実施の形態について、図面を参照しながら説明する。なお、以下に示す実施の形態は一例であり、本発明の範囲において、種々の実施の形態をとりうる。
【００１６】
＜第１の実施の形態＞
図１は、建築物における第１の実施の形態に係る合成構造体の構成を説明するための図である。図２は、合成構造体をデッキプレートの長手方向において断面にして示す図である。図３は、デッキプレートの構成を説明するための図である。図４は、合成構造体をデッキプレートの幅方向に沿って断面にして示す図である。図５は、デッキプレートを梁枠体に載置した状態を示す斜視図である。
なお、説明の便宜上、合成構造体及びデッキプレートの長手方向を「Ｌ」、幅方向を「Ｗ」とする。
【００１７】
図１及び図２に示すように、合成構造体１００は、建築物において梁Ｂと梁Ｂとの間で長手方向Ｌに架け渡されるデッキプレート１と、当該デッキプレート１が係止されているコンクリート構造部６とを備える。
【００１８】
（デッキプレート）
デッキプレート１は、薄鋼板により形成されていて、図３に示すように、平坦なフランジ部（平坦部）１１と、断面形状が略三角形の中空のリブ１３と、断面形状がＴ字形の係止部１５とを備える。デッキプレート１において、フランジ部１１、リブ１３及び係止部１５は、ロールフォーミングにより一体に形成されている。
複数のリブ１３がそれぞれ、長手方向Ｌに沿って、かつ幅方向Ｗに互いに平行にフランジ部１１に一体に形成されている。リブ１３は、コンクリート構造部６とは反対側に突出している（図１及び図２参照。）。長手方向Ｌにおけるリブ１３の両端部（一方の端部のみ図示。）は、梁Ｂに載せるために押し潰されている。
【００１９】
複数の係止部１５が、コンクリート構造部６に係止されてデッキプレート１とコンクリート構造部６とを備える合成構造体１００を構成する。複数の係止部１５はそれぞれ、長手方向Ｌに沿って、かつ幅方向Ｗに互いに平行にフランジ部１１に一体に形成されており、かつリブ１３に沿って形成されている。
係止部１５は、リブ１３とは反対側、つまりコンクリート構造部６側に突出している。係止部１５は、フランジ部１１から略垂直に突出する垂直部位１５ａと、フランジ部１１とは反対側の端部において垂直部位１５ａに対して略直角に折り曲げられて、かつフランジ部１１に対して略水平に延在する折曲げ部位１５ｂとを備える。折曲げ部位１５ｂは、垂直部位１５ａを中心にして互いに異なる方向（幅方向Ｗ）に延在することで、係止部１５の断面形状は略Ｔ字形になっている。
係止部１５は、リブ１３に重ならないように２つのリブ１３の間に形成されている。係止部１５は、図示の実施の形態では２つのリブ１３の間に２つ形成されているが、２つのリブ１３の間に形成される係止部１５の数は、特に限定されない。
係止部１５の断面形状は、折曲げ部位１５ｂが垂直部位１５ａから突出していればよく、例えば、略Ｌ字形や略Ｙ字形等の形状であってもよい。また、係止部１５は、垂直部位１５ａの先端に略三角形又は略逆三角形の中空部を有していてもよい。
【００２０】
（コンクリート構造部）
図４に示すように、コンクリート構造部６は、デッキプレート１の係止部１５の側でフランジ部１１に形成されている。コンクリート構造部６は、コンクリートスラブを打設することにより形成されたコンクリート層６１を有し、建築物において床構造部、天井構造部又は壁構造部としても機能する。
【００２１】
［建築物における合成構造体］
以下に、図１、図２、図４及び図５を用いて合成構造体１００を製造する工程について説明する。なお、ここでは鉄筋コンクリート構造の建築物の場合について説明するが、建築物の構造は、鉄筋コンクリート構造に限定されるものではなく、鉄骨構造、鉄骨鉄筋コンクリート構造などであってもよい。
図５に示すように、デッキプレート１を、例えば木製の梁型枠２００の縁に載置する。次いで、梁型枠２００内に鉄筋２１０（図２参照。）を配設した後、コンクリートスラブを梁型枠２００及びデッキプレート１に打設する。なお、鉄筋２１０は必須ではなく、強度上問題なければ省略してもよい。
図４に示すように、コンクリートスラブは、デッキプレート１の長手方向Ｌに沿って延在する係止部１５の折曲げ部位１５ｂに回り込む。したがって、コンクリートスラブの硬化により形成されたコンクリート層６１は、係止部１５の折曲げ部位１５ｂに係止されてデッキプレート１が係止される。
【００２２】
また、図８（ａ）、（ｂ）に示すように、デッキプレート１の係止部１５を有していない従来のデッキプレート５００においては、デッキプレート１が梁Ｂから脱落しないようにする必要がある。梁Ｂからのデッキプレート５００の脱落を防止するために、当該デッキプレート５００の端部を梁Ｂの躯体内にある程度進入させる構造（のみ込み）３００が必要であった。
しかしながら、のみ込み３００は、コンクリートＣを余計に打設して増打ち部３１０（破線により示す。）を形成することで梁Ｂに確保されるものの、鉄筋コンクリート構造の一部にみなすことはできない。
また、コンクリート構造部の捨て型枠として設けられている従来のデッキプレート５００は、鉄筋コンクリート構造の一部とみなされないのみ込み３００において梁Ｂに係止されているだけであり、やはり、鉄筋コンクリート構造の一部としては見なすことができなかった。
【００２３】
これに対して、合成構造体１００において、デッキプレート１は、コンクリート構造部６のコンクリート層６１に係止部１５を介して係止されている。かくして、図２に示すように、梁Ｂの躯体へののみ込みをなくして梁Ｂの増打ち部を省いても、デッキプレート１の脱落を確実に防止することができる。
さらに、合成構造体１００においては、コンクリート層６１に作用する荷重が係止部１５を介してデッキプレート１に確実に伝達されるので、デッキプレート１を鉄筋コンクリート構造の補剛部として建築物の一部にみなすことができる。つまり、デッキプレート１の強度を鉄筋コンクリート構造の強度に組み込むことができる。
デッキプレート１により、従来のデッキプレート５００を用いた場合と比べて、合成構造体１００におけるコンクリート層６１の厚さを薄くすることができると共に、配設する鉄筋２１０の数を減らすこともできる。
【００２４】
係止部１５は、２つのリブ１３の間においてフランジ部１１に設けられているので、デッキプレート１の剛性が高まり、従来のデッキプレート５００に比べてデッキプレート１の板厚を薄くすることができる。つまり、係止部１５が、デッキプレート１においてリブ１３の強度を有効とみなすことができる範囲（リブ１３から幅方向Ｗへの範囲）を超えた位置に設けられていると、デッキプレート１の幅と板厚の比の制限を受ける部分をデッキプレート１からなくすことができると共に、デッキプレート１における平坦な部分の強度を高めることができる。
【００２５】
デッキプレート１は、その長手方向Ｌに沿って係止部１５を介してコンクリート層６１と係止されているので、図４に示すように、リブ１３に、例えば天井パネルや照明器具等を吊り下げるハンガー金具等のアクセサリＡを取り付けることができる。かくして、合成構造体１００においては、デッキプレート１のリブ１３を鉄筋コンクリート構造の一部として利用することができるので、鉄筋コンクリート構造の設計の自由度が広がる。
【００２６】
＜第２の実施の形態＞
次に、図６及び図７を用いて、第２の実施の形態に係る合成構造体１００Ａについて説明する。以下では、第１の実施の形態に係る合成構造体１００と異なる部分についてのみ説明し、合成構造体１００と同じ構成については、同一符号を付して説明を省略する。
【００２７】
図６は、第２の実施の形態に係る合成構造体の構成を説明するための示す図であり、図６（ａ）は、合成構造体をデッキプレートの長手方向（Ｌ）に沿って断面にして示す図であり、図６（ｂ）は、合成構造体をデッキプレートの幅方向（Ｗ）に沿って断面にして示す図である。図７は、第２の実施の形態に係る合成構造体のデッキプレートの構成を説明するための図である。
【００２８】
図６に示すように、合成構造体１００Ａは、デッキプレート１Ａと、当該デッキプレート１Ａが係止されたコンクリート構造部６Ａとを備える。
図７に示すように、デッキプレート１Ａは、薄鋼板により形成されており、フランジ部１１と、リブ１３と、断面形状が略Ｌ字形の係止部１５Ａとを備える。
複数の係止部１５Ａが、コンクリート構造部６Ａに係止されてデッキプレート１Ａをコンクリート構造部６Ａに係止させる。複数の係止部１５Ａは、長手方向Ｌに沿って、かつ幅方向Ｗに互いに平行にフランジ部に一体に形成されている。係止部１５Ａは、フランジ部１１から垂直に突出する垂直部位１５Ａａと、フランジ部１１とは反対側の端部において垂直部位１５Ａａに対して略直角に折り曲げられて、かつフランジ部１１に対して一方向に水平に延在する折曲げ部位１５Ａｂとを備える。
なお、係止部１５Ａの断面形状は、折曲げ部位１５Ａｂが垂直部位１５Ａａから突出していればよく、例えば、略Ｔ字形や略Ｙ字形等の形状であってもよい。また、係止部１５Ａは、垂直部位１５Ａａの先端に略三角形又は略逆三角形の中空部を有していてもよい。
【００２９】
（コンクリート構造部）
コンクリート構造部６Ａは、フランジ部１１の係止部１５Ａ側に打設されるコンクリートスラブにより形成されたコンクリート層６１Ａと、当該コンクリート層６１Ａとデッキプレート１Ａとの間に敷設される断熱部材により形成された断熱層６２Ａとを備える。コンクリート層６１Ａは、係止部１５Ａの垂直部位１５Ａａに係止されている。断熱層６２Ａは、係止部１５Ａの垂直部位１５Ａａによって貫通されており、つまり、断熱層６２Ａの厚さは、係止部１５Ａの垂直部位１５Ａａの長さ寸法よりも小さく形成されている。
【００３０】
合成構造体１００Ａは、合成構造体１００の効果の少なくとも一部を奏する。合成構造体１００Ａにおいて、デッキプレート１Ａにおける係止部１５Ａは、断熱層６２Ａを貫通してコンクリート層６１Ａに係止されている。つまり、合成構造体１００Ａの係止部１５Ａは、断熱層６２Ａに係止されると共に、コンクリート層６１Ａに係止されている。かくして、合成構造体１００Ａにおいては、コンクリート構造部６Ａは、コンクリート層６１Ａ以外の層、例えば断熱層６２Ａを備えていてもデッキプレート１Ａをコンクリート構造部６Ａに係止することができる。
【００３１】
＜その他＞
なお、デッキプレート１，１Ａにおける係止部１５，１５Ａは、別部材として、例えば鋼板により形成されてフランジ部１１に溶接されていてもよい。
また、係止部１５，１５Ａは、垂直部位１５ａ，１５Ａａ及び折曲げ部位１５ｂ，１５Ａｂにおいて厚さ方向に貫通する孔を複数有していてもよい。孔の存在により、当該孔にコンクリートスラブが流れ込みコンクリートスラブの硬化後にコンクリート構造部６，６Ａへのデッキプレート１，１Ａの係止をより強固にすることができる。なお、係止部１５，１５Ａは、孔を有する垂直部位１５ａ，１５Ａａのみを備えていてもよい。
また、係止部１５，１５Ａは、垂直部位１５ａ，１５Ａａと折曲げ部位１５ｂ，１５Ａｂとの間に他の折曲げ部位（図示せず。）をさらに備えていてもよい。つまり、係止部１５，１５Ａの断面形状は、略Ｆ字形であってもよい。例えば、係止部１５Ａにおいて他の折曲げ部位が断熱層６２Ａ内に留まる高さ位置にあり、断熱層６２Ａをより確実に係止することができる。
また、コンクリート構造部６Ａを合成構造体１００に用いてもよいし、コンクリート構造部６を合成構造体１００Ａに用いてもよい。
【符号の説明】
【００３２】
１  デッキプレート
１１  フランジ部（平坦部）
１３  リブ
１５  係止部
１５ａ  垂直部位
１５ｂ  折曲げ部位
６  コンクリート構造部
６１，６１Ａ  コンクリート層
６２Ａ  断熱層
【図１】
2018141315.tif 000003
【図２】
2018141315.tif 000004
【図３】
2018141315.tif 000005
【図４】
2018141315.tif 000006
【図５】
2018141315.tif 000007
【図６】
2018141315.tif 000008
【図７】
2018141315.tif 000009
【図８】
2018141315.tif 000010